(57)【要約】【課題】地上アナログ受信機に地上デジタル受信機を外部接続した場合でも両受信機を複合機と同等の操作性で操作可能なテレビ受信システム及びリモコン装置を提供する。【解決手段】操作キーと、操作キーに対応して第一テレビ受信機に送信される第一リモコン信号と、操作キーに対応して第二テレビ受信機に送信される第二リモコン信号と、操作キーに対応してユーザが視聴するテレビ放送の放送方式の切り替えが行われるかどうかを示す変更有無情報とを関連付けたキー管理情報をキー管理テーブルに格納している。リモコン装置の制御部は第一選択キーの操作を検知すると、第一キー管理情報をキー管理テーブルに格納するとともに、第二テレビ受信機の電源停止を指示するリモコン信号を送信する。逆に第二選択キーの操作を検知すると、第二キー管理情報をキー管理テーブルに格納するとともに、第二テレビ受信機の電源起動を指示するリモコン信号を送信する。【選択図】図１
2008236285.tif 000002
【特許請求の範囲】
【請求項１】
制御部及び記録部と、
画像表示装置を備え第一放送方式によりテレビ放送を受信して前記画像表示装置に表示する第一テレビ受信機と、前記第一テレビ受信機に接続され第二放送方式によりテレビ放送を受信する第二テレビ受信機とに対してリモコン信号を送信する信号送信手段と、
前記画像表示装置に第一放送方式のテレビ放送を表示することを指示するための第一選択キーと、前記画像表示装置に第二放送方式のテレビ放送を表示することを指示するための第二選択キーとを含む操作キーと、
前記操作キーの管理情報であるキー管理情報を格納するキー管理テーブルと、
を備えたリモコン装置であって、
前記キー管理情報が、前記操作キーと、前記操作キーの操作に応じて前記第一テレビ受信機に送信される第一リモコン信号と、前記操作キーの操作に応じて前記第二テレビ受信機に送信される第二リモコン信号と、前記操作キーの操作に応じてキー管理情報を変更する必要があるかどうかを示す変更有無情報とを関連付けた情報であり、
前記記録部が、前記画像表示装置に第一放送方式のテレビ放送が表示されている場合において前記リモコン装置が用いる第一キー管理情報と、前記画像表示装置に第二放送方式のテレビ放送が表示されている場合において前記リモコン装置が用いる第二キー管理情報とを記録しており、
前記制御部が、前記第一選択キーの操作を検知した際に、前記第一キー管理情報を前記キー管理テーブルに格納するとともに、前記第二リモコン信号として前記第二テレビ受信機の電源停止を指示するリモコン信号を送信し、
前記制御部が、前記第二選択キーの操作を検知した際に、前記第二キー管理情報を前記キー管理テーブルに格納するとともに、前記第二リモコン信号として前記第二テレビ受信機の電源起動を指示するリモコン信号を送信すること
を特徴とするリモコン装置。
【請求項２】
前記制御部が、前記操作キーの操作を検知した際に、前記キー管理テーブルに格納されている前記キー管理情報に基づいて前記第一リモコン信号と前記第二リモコン信号との二つの信号を送信すること
を特徴とする請求項１に記載のリモコン装置。
【請求項３】
前記記録部が、複数種類の前記第一キー管理情報を記録しており、
前記制御部が、複数種類の前記第一キー管理情報のいずれを使用するかの指定を受け付け、指定された前記第一キー管理情報を前記キー管理テーブルに格納すること
を特徴とする請求項１または請求項２に記載のリモコン装置。
【請求項４】
前記制御部が、前記第二選択キーの操作を検知した際に、前記第一テレビ受信機が出力する画像及び音声の入力元を外部入力端子に切り替えるための外部入力切替信号を前記第一リモコン信号として送信すること
を特徴とする請求項１〜請求項３のいずれかに記載のリモコン装置。
【請求項５】
前記第一放送方式が地上アナログ放送であるとともに、前記第一選択キーが地上アナログ放送を前記画像表示装置に表示するためのアナログキーであり、
前記第二放送方式が地上デジタル放送であるとともに、前記第二選択キーが地上デジタル放送を前記画像表示装置に表示するためのデジタルキーであること
を特徴とする請求項１〜請求項４のいずれかに記載のリモコン装置。
【請求項６】
前記操作キーとして外部入力キーを備え、
前記制御部が、前記キー管理テーブルに前記第一キー管理情報が格納されている状態において前記外部入力キーの操作を検知した際に、前記第一テレビ受信機が出力する画像及び音声の入力元を切り替える入力元切替信号を前記第一リモコン信号として送信し、前記第二テレビ受信機の電源起動を指示するリモコン信号を前記第二リモコン信号として送信し、前記第二キー管理情報を前記キー管理テーブルに格納すること
を特徴とする請求項１〜請求項５のいずれかに記載のリモコン装置。
【請求項７】
前記制御部が、前記キー管理テーブルに前記第二キー管理情報が格納されている状態において前記外部入力キーの操作を検知した際に、前記入力元切替信号を前記第一リモコン信号として送信し、前記第二テレビ受信機の電源停止を指示するリモコン信号を前記第二リモコン信号として送信し、前記第一キー管理情報を前記キー管理テーブルに格納すること
を特徴とする請求項６に記載のリモコン装置。
【請求項８】
前記操作キーとしてチャンネルキーを備え、
前記制御部が、前記チャンネルキーの操作を検知した際に、前記キー管理テーブルに格納されている前記キー管理情報に基づき、前記第一リモコン信号及び前記第二リモコン信号を送信すること
を特徴とする請求項１〜請求項５のいずれかに記載のリモコン装置。
【請求項９】
前記操作キーとして音量キーを備え、
前記制御部が、前記音量キーの操作を検知した際に、前記キー管理テーブルに格納されている前記キー管理情報に関わらず、前記第一テレビ受信機の出力音量の調整を指示するリモコン信号を前記第一リモコン信号として送信すること
を特徴とする請求項１〜請求項５のいずれかに記載のリモコン装置。
【請求項１０】
画像表示装置を備え第一放送方式によりテレビ放送を受信して前記画像表示装置に表示する第一テレビ受信機と、
前記第一テレビ受信機に接続され第二放送方式によりテレビ放送を受信する第二テレビ受信機と、
請求項１〜請求項９のいずれかに記載のリモコン装置と、
を含むことを特徴とするテレビ受信システム。
【請求項１１】
前記第二テレビ受信機が、前記第一テレビ受信機が備える外部接続端子に外部機器として接続されていること
を特徴とする請求項１０に記載のテレビ受信システム。
【発明の詳細な説明】
【技術分野】
【０００１】
本発明は、放送方式の異なる複数のテレビ放送を受信可能なテレビ受信システムに関するものであり、特に複数のテレビ受信機を単一のリモコン装置により操作可能なテレビ受信システム、及びリモコン装置に関する。
【背景技術】
【０００２】
今日、地上波放送や衛星放送等のテレビ放送を受信して表示するためのテレビ受信システムが広く普及している。テレビ受信システムは例えば、テレビ放送を受信するテレビ受信機、受信した画像を表示する画像表示装置、及び各装置を遠隔操作するリモコン装置等を含むように構成されている。
【０００３】
近年、地上波放送において、地上アナログ放送から地上デジタル放送への移行が行政により進められている。地上アナログ放送は西暦２０１１年に放送が終了されるため、それ以降の地上波放送は地上デジタル放送のみとなる。しかし地上デジタル放送の受信には地上デジタル放送用のテレビ受信機（以下、「地上デジタル受信機」という）が必要である。このため、ユーザにしてみればテレビ受信機を買い換える等の対応を行う必要がある。
【０００４】
このような背景の中、地上アナログ放送から地上デジタル放送への移行の過渡期においては、地上アナログ放送用のテレビ受信機（以下、「地上アナログ受信機」という）が備えるモニタを使用して、地上デジタル放送を視聴しようとするユーザが存在することが推測される。これは例えば、地上アナログ受信機に地上デジタル受信機、例えば地上デジタルチューナ等を外部接続することにより、地上デジタル放送を地上アナログ受信機のモニタに表示することが可能であるためである。
【０００５】
上記に関連して特許文献１には、地上デジタルチューナを内蔵したテレビ受信機であり、リモコン装置の切り替えボタンによって地上アナログ放送と地上デジタル放送とを視聴することが可能な地上デジタル放送受信装置が記載されている。特許文献１の地上デジタル放送受信装置のリモコン装置は、放送切替ボタンを備えている。そして地上アナログ放送と地上デジタル放送との切替操作を、放送切替ボタンの操作によって行うことが可能である。
【０００６】
特許文献１の地上デジタル放送受信装置によれば、ユーザは単一のリモコン装置によって地上アナログ放送と地上デジタル放送を切り替えて視聴することができる。またこのとき、地上デジタル／衛星デジタルの切り替えも、数字キーの操作のみで対応することができ、利便性の高い選局操作を行うことができる。
【０００７】
また上記に関連して特許文献２には、受信するテレビ放送の種別、例えば地上デジタル放送や衛星デジタル放送等を切り替えることなく、チャンネル上下キーで、希望のチャンネルを選択することを可能とした放送受信機番組選択システムが開示されている。特許文献２の放送受信機番組選択システムは、希望のチャンネル、見たくないチャンネル等を事前にメモリに登録しておく。さらにスポーツや芸能などのジャンルや野球選手や歌手名などのタイトルを検索し、結果をメモリに登録する。これらの情報をもとに、リモコンの上下キーを操作するだけで、所定のチャンネルを選択できるようにしている。
【０００８】
特許文献２の放送受信機番組選択システムによれば、受信するテレビ放送の種別が複数存在する場合であっても、それぞれの放送切替ボタンを操作せずに、チャンネル上下キーだけで希望のチャンネルが選択できる。またこれにより、リモコン装置のキー数を減らすことができる。この結果、リモコン装置の操作性の向上を図ることができる。
【０００９】
また上記に関連して特許文献３には、地上デジタルチューナに付属するリモコンに加え、ユーザが従来使用していた地上アナログテレビ用リモコンによっても、地上デジタルチューナを操作可能な地上デジタルチューナ制御装置及び制御方法が開示されている。特許文献３の地上デジタルチューナ制御装置は、地上デジタルチューナのリモコン信号処理部に、地上アナログテレビ用リモコンからの送信信号を地上デジタルチューナ操作用の命令に変換する命令変換手段を設けている。そして命令変換手段には、地上デジタルチューナが受信する放送の種類を切り替える機能を設けている。
【００１０】
特許文献３の地上デジタルチューナ制御装置によれば、地上デジタルチューナが外部接続されている地上アナログテレビにおいて、地上アナログテレビ用のリモコン及び地上デジタルチューナ用のリモコンのどちらでも地上デジタルチューナを操作可能である。また切り替え操作によって、地上アナログ放送も地上デジタル放送も視聴することが可能である。
【特許文献１】特開２００４−１４７０６６号公報
【特許文献２】特開２００５−２１７５８７号公報
【特許文献３】特開２００５−２９５２６３号公報
【発明の開示】
【発明が解決しようとする課題】
【００１１】
このように地上デジタル放送の普及に伴い、地上アナログ受信機を使用しているユーザが、新規に地上デジタル受信機を購入して外部接続することにより、地上アナログ放送と地上デジタル放送との両方を視聴する場合がある。このようなユーザにとっては、アナログ・デジタルチューナ内蔵テレビのような複合機と同様の操作性で、地上アナログ受信機と外部接続型地上デジタル受信機とを単一のリモコン装置で操作できることが望ましい。
【００１２】
しかしながら特許文献１及び特許文献２に開示されているテレビ受信機は、単一のリモコン装置によって地上アナログ受信機と地上デジタル受信機との操作を行っているものの、そもそも地上アナログ受信機と地上デジタル受信機とがテレビ装置として一体型となっている。このため、外部接続型デジタル受信機を用いる場合は、単一のリモコン装置で外部接続型地上デジタル受信機の操作を行うことはできない。
【００１３】
また特許文献３に開示されている地上デジタル受信機制御装置は、単一のリモコン装置により両受信機の操作は可能だが、リモコン装置が出力するリモコン信号の送出方向を、地上アナログ受信機と地上デジタル受信機とで分けて操作しなければならない。しかしながらリモコン装置に使用されるリモコン信号の指向性や反射性から考慮すると、地上デジタル受信機へ送信するはずのリモコン信号を地上アナログ受信機へ誤って送信しないようにするのは困難である。
【００１４】
本発明はこれらの課題を解決するために考案されたものであり、その目的は、地上アナログ受信機に地上デジタル受信機を外部接続した場合において、地上デジタル受信機に付属する単一のリモコン装置によって両受信機を、アナログ・デジタルチューナ内蔵テレビ等の複合機と同等の操作性で操作可能なテレビ受信システム及びリモコン装置を提供することにある。
【課題を解決するための手段】
【００１５】
上記目的を達成するために本発明のリモコン装置は、制御部及び記録部と、画像表示装置を備え第一放送方式によりテレビ放送を受信して前記画像表示装置に表示する第一テレビ受信機と、前記第一テレビ受信機に接続され第二放送方式によりテレビ放送を受信する第二テレビ受信機とに対してリモコン信号を送信する信号送信手段と、前記画像表示装置に第一放送方式のテレビ放送を表示することを指示するための第一選択キーと、前記画像表示装置に第二放送方式のテレビ放送を表示することを指示するための第二選択キーとを含む操作キーと、前記操作キーの管理情報であるキー管理情報を格納するキー管理テーブルとを備えたリモコン装置であって、前記キー管理情報が、前記操作キーと、前記操作キーの操作に応じて前記第一テレビ受信機に送信される第一リモコン信号と、前記操作キーの操作に応じて前記第二テレビ受信機に送信される第二リモコン信号と、前記操作キーの操作に応じてキー管理情報を変更する必要があるかどうかを示す変更有無情報とを関連付けた情報であり、前記記録部が、前記画像表示装置に第一放送方式のテレビ放送が表示されている場合において前記リモコン装置が用いる第一キー管理情報と、前記画像表示装置に第二放送方式のテレビ放送が表示されている場合において前記リモコン装置が用いる第二キー管理情報とを記録しており、前記制御部が、前記第一選択キーの操作を検知した際に、前記第一キー管理情報を前記キー管理テーブルに格納するとともに、前記第二リモコン信号として前記第二テレビ受信機の電源停止を指示するリモコン信号を送信し、前記制御部が、前記第二選択キーの操作を検知した際に、前記第二キー管理情報を前記キー管理テーブルに格納するとともに、前記第二リモコン信号として前記第二テレビ受信機の電源起動を指示するリモコン信号を送信することを特徴としている。
【００１６】
これによると、本発明のリモコン装置は、第一放送方式のテレビ放送、例えば地上アナログ放送等を受信してモニタ（＝画像表示装置）に表示する第一テレビ受信機に対してリモコン信号を送信する信号送信部（＝信号送信手段）を備えている。また信号送信部は、第二放送方式のテレビ放送、例えば地上デジタル放送等を受信し、かつ第一テレビ受信機に接続されている第二テレビ受信機に対してリモコン信号を送信することが可能である。
【００１７】
またリモコン装置には、第一テレビ受信機を用いて前記第一放送方式のテレビ放送を視聴するための第一選択キーと、第一テレビ受信機と第二テレビ受信機とを用いて第二放送方式のテレビ放送を視聴するための第二選択キーとを含む操作キーが備えられている。また、リモコン装置のメモリ（＝記録部）には、キー管理情報を格納するキー管理テーブルが備えられている。
【００１８】
キー管理情報とは、特定の操作キーと、操作キーに対応して第一テレビ受信機に送信される第一リモコン信号と、操作キーに対応して第二テレビ受信機に送信される第二リモコン信号と、操作キーに対応してキー管理情報を変更する必要があるかどうかを示す変更有無情報とを関連付けた情報である。
【００１９】
キー管理情報には、第一放送方式のテレビ放送を視聴するのに用いられる第一キー管理情報と、第二放送方式のテレビ放送を視聴するのに用いられる第二キー管理情報との二種類が存在する。第一キー管理情報は、主に第一テレビ受信機に対して選局や各種設定等を指示するためのものであり、従って第一リモコン信号が多く含まれている。逆に第二キー管理情報は、主に第二テレビ受信機に対して選局や各種設定等を指示するためのものであり、従って第二リモコン信号が多く含まれている。
【００２０】
リモコン装置の制御部は第一選択キーの操作を検知すると、第一キー管理情報をキー管理テーブルに格納するとともに、第二テレビ受信機の電源停止を指示するリモコン信号を第二テレビ受信機に送信する。逆に第二選択キーの操作を検知すると、第二キー管理情報をキー管理テーブルに格納するとともに、第二テレビ受信機の電源起動を指示するリモコン信号を第二テレビ受信機に送信する。
【００２１】
また、上記目的を達成するために本発明のリモコン装置は、前記制御部が、前記操作キーの操作を検知した際に、前記キー管理テーブルに格納されている前記キー管理情報に基づいて前記第一リモコン信号と前記第二リモコン信号との二つの信号を送信することを特徴としている。
【００２２】
これによると、制御部はユーザによるキー操作を検知した際に、キー管理テーブルに格納されているキー管理情報を読み出して参照する。そして読み出したキー管理情報に基づいて、操作が検知された操作キーに対応する第一リモコン信号と第二リモコン信号とを決定し、この二つのリモコン信号を送信する。
【００２３】
また、上記目的を達成するために本発明のリモコン装置は、前記記録部が、複数種類の前記第一キー管理情報を記録しており、前記制御部が、複数種類の前記第一キー管理情報のいずれを使用するかの指定を受け付け、指定された前記第一キー管理情報を前記キー管理テーブルに格納することを特徴としている。
【００２４】
これによると、メモリに複数種類の第一キー管理情報が記録されている。ユーザは操作キー等により、いずれの第一キー管理情報を使用するかを指定できる。指定を受けた制御部は、受け付けた指定をメモリ等に記録しておく。そして第一キー管理情報をキー管理テーブルに格納する際に、指定された種類の第一キー管理情報をキー管理テーブルに格納する。
【００２５】
また、上記目的を達成するために本発明のリモコン装置は、前記制御部が、前記第二選択キーの操作を検知した際に、前記第一テレビ受信機が出力する画像及び音声の入力元を外部入力端子に切り替えるための外部入力切替信号を前記第一リモコン信号として送信することを特徴としている。
【００２６】
これによると、第二選択キーの操作が行われた場合に、第一テレビ受信機を外部入力状態に切り替えるためのリモコン信号が第一リモコン信号として送信される。なお外部入力状態とは、第一テレビ受信機が備えるモニタ及びスピーカが出力する画像及び音声の入力元が、内蔵チューナ等の内部装置ではなく、外部入力端子に接続された外部機器となっている状態を指す。
【００２７】
また、上記目的を達成するために本発明のリモコン装置は、前記第一放送方式が地上アナログ放送であるとともに、前記第一選択キーが地上アナログ放送を前記画像表示装置に表示するためのアナログキーであり、前記第二放送方式が地上デジタル放送であるとともに、前記第二選択キーが地上デジタル放送を前記画像表示装置に表示するためのデジタルキーであることを特徴としている。
【００２８】
これによると、第一放送方式が地上アナログ放送であり、従って第一選択キーが地上アナログ放送を視聴することを指示するためのアナログキーとなっている。また、第二放送方式が地上デジタル放送であり、従って第二選択キーが地上デジタル放送を視聴することを指示するためのアナログキーとなっている。
【００２９】
また、上記目的を達成するために本発明のリモコン装置は、前記操作キーとして外部入力キーを備え、前記制御部が、前記キー管理テーブルに前記第一キー管理情報が格納されている状態において前記外部入力キーの操作を検知した際に、前記第一テレビ受信機が出力する画像及び音声の入力元を切り替える入力元切替信号を前記第一リモコン信号として送信し、前記第二テレビ受信機の電源起動を指示するリモコン信号を前記第二リモコン信号として送信し、前記第二キー管理情報を前記キー管理テーブルに格納することを特徴としている。
【００３０】
これによると、キー管理テーブルに第一キー管理情報が格納されている状態において外部入力キーが操作された場合に、第一テレビ受信機が出力する画像及び音声の入力元を内部入力と複数の外部入力とで切り替えるための入力元切替信号を第一テレビ受信機に送信する。あわせて第二テレビ受信機の電源起動を指示するリモコン信号を第二テレビ受信機に送信する。さらにキー管理テーブルに、第二キー管理情報を格納する。
【００３１】
また、上記目的を達成するために本発明のリモコン装置は、前記制御部が、前記キー管理テーブルに前記第二キー管理情報が格納されている状態において前記外部入力キーの操作を検知した際に、前記入力元切替信号を前記第一リモコン信号として送信し、前記第二テレビ受信機の電源停止を指示するリモコン信号を前記第二リモコン信号として送信し、前記第一キー管理情報を前記キー管理テーブルに格納することを特徴としている。
【００３２】
これによると、キー管理テーブルに第二キー管理情報が格納されている状態において外部入力キーが操作された場合に、入力元切替信号を第一テレビ受信機に送信する。併せて第二テレビ受信機の電源停止を指示するリモコン信号を第二テレビ受信機に送信する。さらにキー管理テーブルに、第一キー管理情報を格納する。
【００３３】
また、上記目的を達成するために本発明のリモコン装置は、前記操作キーとしてチャンネルキーを備え、前記制御部が、前記チャンネルキーの操作を検知した際に、前記キー管理テーブルに格納されている前記キー管理情報に基づき、前記第一リモコン信号及び前記第二リモコン信号を送信することを特徴としている。
【００３４】
これによると、チャンネルキーが操作された場合に、キー管理テーブルに格納されているキー管理情報に基づき、第一テレビ受信機及び第二テレビ受信機のチャンネル選局を行うためのリモコン信号が送信される。これにより、両方或いはいずれかのテレビ受信機においてチャンネル選局処理が行われる。
【００３５】
また、上記目的を達成するために本発明のリモコン装置は、前記操作キーとして音量キーを備え、前記制御部が、前記音量キーの操作を検知した際に、前記キー管理テーブルに格納されている前記キー管理情報に関わらず、前記第一テレビ受信機の出力音量の調整を指示するリモコン信号を前記第一リモコン信号として送信することを特徴としている。
【００３６】
これによると、音量キーが操作された場合に、キー管理テーブルに格納されているキー管理情報に関わらず、第一テレビ受信機が備えるスピーカの出力音量の調整を行うためのリモコン信号が第一テレビ受信機に送信される。これにより、第一テレビ受信機において音量調整処理が行われる。
【００３７】
また、上記目的を達成するために本発明のテレビ受信システムは、画像表示装置を備え第一放送方式によりテレビ放送を受信して前記画像表示装置に表示する第一テレビ受信機と、前記第一テレビ受信機に接続され第二放送方式によりテレビ放送を受信する第二テレビ受信機と、請求項１〜請求項９のいずれかに記載のリモコン装置とを含むことを特徴としている。
【００３８】
これによると、本発明のテレビ受信システムは、第一放送方式のテレビ放送、例えば地上アナログ放送等をモニタに表示する第一テレビ受信機と、第二放送方式のテレビ放送、例えば地上デジタル放送等を受信可能であり、かつ第一テレビ受信機に接続されている第二テレビ受信機とを含むように構成されている。またこの両テレビ受信機を遠隔操作するための装置として、請求項１〜請求項９のいずれかに記載のリモコン装置を含むように構成されている。
【００３９】
また、上記目的を達成するために本発明のテレビ受信システムは、前記第二テレビ受信機が、前記第一テレビ受信機が備える外部接続端子に外部機器として接続されていること
を特徴としている。
【００４０】
これによると、本発明のテレビ受信システムにおける第二テレビ受信機は第一テレビ受信機に外部接続されている。第一テレビ受信機は外部入力端子を備えており、接続ケーブル等を用いることにより、第一テレビ受信機と第二テレビ受信機とが互いに接続される。また、ケーブルを抜くことにより容易に非接続状態にすることも可能である。
【発明の効果】
【００４１】
本発明によれば、第一選択キーの操作が検知された場合に、第一キー管理情報をキー管理テーブルに格納するとともに、第二テレビ受信機の電源停止を指示するリモコン信号を送信する。逆に第二選択キーの操作を検知された場合に、第二キー管理情報をキー管理テーブルに格納するとともに、第二テレビ受信機の電源起動を指示するリモコン信号を送信する。このためユーザは、視聴する放送を切り替えるための選択キーを一回操作するだけで、キー管理テーブルの内容変更と、第二テレビ受信機の電源のＯＮ／ＯＦＦとの両方を一度に行うことができるため、操作性が向上する。
【００４２】
また本発明によれば、キー操作を検知した際に、キー管理テーブルに格納されているキー管理情報に基づいて、操作キーに対応する第一リモコン信号と第二リモコン信号とを決定し、この二つのリモコン信号を送信する。従ってユーザは、単一のキーを用いて両受信機を一度に操作することができる。例えば一つのキーにより、第一テレビ受信機の入力状態の切り替え、及び第二テレビ受信機の選局を一度に行うことができる。このように、個別の装置である第一テレビ受信機と第二テレビ受信機とを互いに接続した場合であっても、アナログ・デジタルチューナ内蔵テレビのような複合機と同等の操作性を、単一のリモコン装置によって実現することが可能である。
【００４３】
また本発明によれば、メモリに複数種類の第一キー管理情報が記録されており、ユーザはその中から一つを選択して使用することができる。これは、第一テレビ受信機がそのメーカーにより、リモコン信号の仕様が異なることに対応するためである。本発明によれば例えば、第二テレビ受信機に接続される第一テレビ受信機の機種が変更され、リモコン信号の仕様が変化したとしても、キー管理情報の変更により新たな第一テレビ受信機を操作することが可能である。
【００４４】
また本発明によれば、第二選択キーの操作が行われた場合に、第一テレビ受信機を外部入力状態に切り替えるためのリモコン信号が第一リモコン信号として送信される。従ってユーザは、第二選択キーの操作を行うだけで、第一テレビ受信機の外部接続端子に接続されている第二テレビ受信機により入力されたテレビ放送を視聴することができる。このように、複合機と同等の操作性を単一のリモコン装置によって実現することが可能である。
【００４５】
また本発明によれば、第一放送方式が地上アナログ放送であり、第二放送方式が地上デジタル放送である。このため、ユーザが地上アナログ受信機と地上デジタル受信機を個別に購入して接続した場合でも、アナログ・デジタルチューナ内蔵テレビのような複合機と同様の操作性を単一のリモコン装置で実現することが可能である。
【００４６】
また本発明によれば、キー管理テーブルに第一キー管理情報が格納されている状態で外部入力キーが操作された場合に、第一テレビ受信機の入力元の切り替え、第二テレビ受信機の電源起動、及びキー管理テーブルへの第二キー管理情報の格納が一度に行われる。このためユーザは一回のキー操作により、第二放送方式のテレビ放送の視聴及び選局ができる状態へ切り替えることができる。
【００４７】
また本発明によれば、キー管理テーブルに第二キー管理情報が格納されている状態で外部入力キーが操作された場合に、第一テレビ受信機の入力元の切り替え、第二テレビ受信機の電源停止、及びキー管理テーブルへの第一キー管理情報の格納が一度に行われる。このためユーザは一回のキー操作により、第二放送方式のテレビ放送を視聴している状態から、第一放送方式のテレビ放送やその他の外部接続機器から入力された画像の視聴及び選局ができる状態へ切り替えることができる。
【００４８】
また本発明によれば、チャンネルキーが操作された場合に、キー管理テーブルに格納されているキー管理情報に基づき、第一テレビ受信機及び第二テレビ受信機に対してリモコン信号が送信される。従ってユーザは、第一テレビ受信機用のチャンネルキーと第二テレビ受信機用のチャンネルキーを個別に使い分ける必要がない。これにより操作性の向上、リモコン装置の省サイズ化、及び部材の削減が可能である。
【００４９】
また本発明によれば、音量キーが操作された場合に、キー管理テーブルに格納されているキー管理情報に関わらず、第一テレビ受信機がそなえるスピーカの出力音量の調整を行うためのリモコン信号が送信される。従ってユーザは、仮に第二テレビ受信機にスピーカが備えられていた場合であっても、画像及び音声を出力中である第一テレビ受信機が備えるスピーカの音量調整を確実に行うことができる。
【００５０】
また本発明によれば、テレビ受信システムが第一放送方式の第一テレビ受信機と、第一テレビ受信機に接続された第二放送方式の第二テレビ受信機と、請求項１〜請求項９のいずれかに記載のリモコン装置とから構成されている。このため各受信機が個別に独立した装置であるにも関わらず、アナログ・デジタルチューナ内蔵テレビのような複合機と同様の操作性を備えたテレビ受信システムを提供することが可能である。
【００５１】
また本発明によれば、テレビ受信システムが備える第二テレビ受信機が第一テレビ受信機に外部接続されている。このためユーザは、既存の第一テレビ受信機に対して新規購入した第二テレビ受信機を接続することによって、本発明のテレビ受信システムを利用することが可能である。また、第一テレビ受信機及び第二テレビ受信機を別機種に随時交換可能である。
【発明を実施するための最良の形態】
【００５２】
以下に本発明の実施形態を、図面を参照しながら説明する。なお、ここで示す実施形態は一例であり、本発明はここに示す実施形態に限定されるものではない。
【００５３】
［実施の形態１］
〈１−１．テレビ受信システムの構成について〉
図１は、本発明の第一の実施形態に係るテレビ受信システムの構成を示すブロック図である。テレビ受信システムは少なくとも、地上アナログ受信機１（＝第一テレビ受信機）、地上アナログ用リモコン装置２、地上デジタル受信機３（＝第二テレビ受信機）、及び地上デジタル用リモコン装置４（＝リモコン装置）を含むように構成されている。
【００５４】
地上アナログ受信機１は、地上アナログ放送方式（＝第一放送方式）のテレビ放送を受信し、放送電波に含まれる画像及び音声の表示及び出力を行う。地上アナログ受信機１は少なくとも、地上アナログ用リモコン装置２より送られてくるリモコン信号を受光するための受光部１１、地上アナログ放送受信用アンテナへの接続を行うアンテナ接続部１２、画像を表示するモニタ１３、及び音声を出力するスピーカ１４を備えている。
【００５５】
地上アナログ用リモコン装置２は、地上アナログ受信機１に付属のリモコン装置であり、ユーザが地上アナログ受信機１を遠隔操作するのに用いられる。地上アナログ用リモコン装置２は少なくとも、地上アナログ受信機１に対するリモコン信号（図１の矢印α１）を送信する信号送信部２１、及びユーザからの操作を受け付けるリモコンキー２２を備えている。
【００５６】
地上デジタル受信機３は、地上デジタル放送方式（＝第二放送方式）のテレビ放送を受信し、放送電波に含まれる画像及び音声を外部機器に出力する。地上デジタル受信機３は少なくとも、地上デジタル用リモコン装置４より送られてくるリモコン信号を受光するための受光部３１、地上デジタル放送受信用アンテナへの接続を行うアンテナ接続部３２、及び外部機器へ接続して画像及び音声を出力するためのインタフェース３３を備えている。
【００５７】
地上デジタル用リモコン装置４は、地上デジタル受信機３に付属のリモコン装置であり、ユーザが地上デジタル受信機１及び地上デジタル受信機３を遠隔操作するのに用いられる。地上デジタル用リモコン装置４は少なくとも、地上アナログ受信機１に対するリモコン信号（＝第一リモコン信号、図１の矢印α２）と地上デジタル受信機３に対するリモコン信号（＝第二リモコン信号、図１の矢印α３）を送信する信号送信部４１（＝信号送信手段）、及びユーザからの操作を受け付けるリモコンキー４２（＝操作キー）を備えている。
【００５８】
〈１−２．リモコン装置の外部構成について〉
ここで、本発明の第一の実施形態に係る地上デジタル用リモコン装置４が備えるリモコンキー４２の詳細について、図２のブロック図を用いながら説明する。
【００５９】
図２は、地上デジタル用リモコン装置４の表面に備えられたリモコンキー４２の一例を示したブロック図である。図２に示すようにリモコンキー４２は、電源キー４２１、アナログキー４２２、デジタルキー４２３、音量キー４２４、チャンネルキー４２５、外部入力キー４２６、及び設定キー４２７を含むように構成されている。
【００６０】
電源キー４２１は地上アナログ受信機１及び地上デジタル受信機３に対して、電源のＯＮ／ＯＦＦを指示するためのリモコン信号を送信するためのものである。
【００６１】
アナログキー４２２は、ユーザが地上アナログ受信機１、及び地上デジタル用リモコン装置４を用いて地上アナログ放送を視聴できる状態に切り替えるためのものである。具体的には、アナログキー４２２が操作されることにより、地上デジタル用リモコン装置４のキー管理テーブルに、地上アナログ視聴用のキー管理情報が格納される。
【００６２】
キー管理テーブルとは、リモコンキー４２が備えるキーと、キー操作に応じて送信されるリモコン信号とを関連付けたキー管理情報を格納するテーブルである。キー管理テーブルには、地上アナログ視聴用のキー管理情報（＝第一キー管理情報）と、地上デジタル視聴用のキー管理情報（＝第二キー管理情報）のいずれか一つが格納される。格納するキー管理情報が異なれば、同一のキーでも異なるリモコン信号が送信される場合がある。なお、キー管理テーブル及びキー管理情報の詳細については後述する。
【００６３】
またアナログキー４２２が操作されることにより、地上アナログ受信機１に対して、アンテナ接続部１２より入力された地上アナログ放送をモニタ１３及びスピーカ１４に出力する状態（以下、「地上アナログ表示状態」という）への切り替えを指示するリモコン信号が送信される。また地上デジタル受信機３に対して、電源をＯＦＦにすることを指示するリモコン信号が送信される。
【００６４】
デジタルキー４２３は、ユーザが地上アナログ受信機１、地上デジタル受信機３、及び地上デジタル用リモコン装置４を用いて地上デジタル放送を視聴できる状態に切り替えるためのものである。具体的には、デジタルキー４２３が操作されることにより、地上デジタル用リモコン装置４のキー管理テーブルに、地上デジタル視聴用のキー管理情報が格納される。
【００６５】
またデジタルキー４２３が操作されることにより、地上アナログ受信機１に対して、地上デジタル受信機３が接続されている外部入力端子より入力した情報をモニタ１３及びスピーカ１４に出力する状態（以下、「外部入力状態」という）への切り替えを指示するリモコン信号が送信される。また地上デジタル受信機３に対して、電源をＯＮにすることを指示するリモコン信号が送信される。
【００６６】
音量キー４２４は、地上アナログ受信機１のスピーカ１４から出力される音声の音量を調節するためのものである。例えば音量キー４２４が含むブラスキー（図中の「＋」）が操作されることにより、スピーカ１４から出力される音量を所定量だけ上げることを指示するリモコン信号が地上アナログ受信機１に対して送信される。
【００６７】
チャンネルキー４２５は、テレビ放送のチャンネル選局を行うためのものである。チャンネルキー４２５が操作され、かつキー管理テーブルに地上アナログ視聴用のキー管理情報が格納されている場合、地上アナログ受信機１のチャンネル選局を行うリモコン信号が送信される。なおこの際、リモコン信号を受信した地上アナログ受信機１が外部入力状態であった場合、地上アナログ受信機１は地上アナログ表示状態に移行した後、指示されたチャンネルへの選局を行う。
【００６８】
逆にチャンネルキー４２５が操作され、かつキー管理テーブルに地上デジタル視聴用のキー管理情報が格納されている場合は、地上アナログ受信機１を外部入力状態に切り替えるリモコン信号、及び地上デジタル受信機３の電源をＯＮするリモコン信号が送信される。続いて地上デジタル受信機３のチャンネル選局を行うリモコン信号が送信される。
【００６９】
外部入力キー４２６は、地上アナログ受信機１に対して、地上アナログ表示状態／外部入力状態を切り替えを指示するためのものである。具体的には、外部入力キー４２６が操作された際に、キー管理テーブルに地上アナログ視聴用のキー管理情報が格納されている場合、キー管理テーブルに地上デジタル視聴用のキー管理情報が格納される。併せて地上アナログ受信機１に対して、外部入力状態への切り替えを指示するリモコン信号が送信される。また併せて地上デジタル受信機３に対して、電源をＯＮにすることを指示するリモコン信号が送信される。
【００７０】
逆に外部入力キー４２６が操作された際に、キー管理テーブルに地上デジタル視聴用のキー管理情報が格納されている場合、キー管理テーブルに地上アナログ視聴用のキー管理情報が格納される。併せて地上アナログ受信機１に対して、地上アナログ表示状態への切り替えを指示するリモコン信号が送信される。また併せて地上デジタル受信機３に対して、電源をＯＦＦにすることを指示するリモコン信号が送信される。
【００７１】
設定キー４２７は、地上アナログ受信機１及び地上デジタル受信機３に対して各種設置指示を行うためのものである。設定キー４２７は少なくとも、上下左右キー、決定キー、戻るキー、及びメニューキーを含むように構成されている。例えば地上アナログ受信機１がＯＳＤ（on-screen display）画面等のユーザ操作可能な画面を表示している状態において、ユーザはこれらのキーを用いて各種設定、例えば録画予約の設定等を行うことが可能である。
【００７２】
設定キー４２７の操作時、地上デジタル用リモコン装置４に地上アナログ視聴用のキー管理情報が格納されている場合は、地上アナログ受信機１に対して各種設定指示を行うためのリモコン信号が送信される。逆に地上デジタル視聴用のキー管理情報が格納されている場合は、地上デジタル受信機３に対して各種設定指示を行うためのリモコン信号が送信される。
【００７３】
〈１−３．キー管理テーブルの構成について〉
ここで、本発明の第一の実施形態に係る地上デジタル用リモコン装置４が備えるキー管理テーブルの一例を、図３、及び図４のテーブル図を用いて説明する。図３は、キー管理テーブルに地上アナログ視聴用のキー管理情報が格納されている状態のキー管理テーブルを示したテーブル図である。また図４は、キー管理テーブルに地上デジタル視聴用のキー管理情報が格納されている状態のキー管理テーブルを示したテーブル図である。
【００７４】
図３、及び図４に示すように本実施形態のキー管理テーブルは、「ユーザ操作キー」（＝操作キー）、「キー管理情報の変更」（＝変更有無情報）、「地上アナログ受信機向け信号」（＝第一リモコン信号）、「地上デジタル受信機向け信号」（＝第二リモコン信号）の四つの欄から構成されている。
【００７５】
「ユーザ操作キー」欄は、操作キー４２が備える各種キーの種別を記録した欄である。この欄には、図２に示されている電源キー４２１から設定キー４２７までの七種のキーが記録されている。
【００７６】
「キー管理情報の変更」欄は、テーブル内の同一行の「ユーザ操作キー」欄に記録されているキーが操作された場合に、キー管理テーブルに格納するキー管理情報の変更を行う必要があるかどうかを示す欄である。例えば図３において「ユーザ操作キー」欄に電源キー４２１が記録されている行において、「キー管理情報の変更」欄に何も記録されていない。このため、電源キー４２１が操作された場合に、キー管理情報の変更を行う必要がないことが示されている。
【００７７】
逆に「ユーザ操作キー」欄にデジタルキー４２３が記録されている行には、「キー管理情報の変更」欄に「キー管理情報を地上デジタル視聴用に変更」と記録されている。このため、デジタルキー４２３が操作された場合に、キー管理情報を地上デジタル視聴用に変更する必要があることが示されている。
【００７８】
「地上アナログ受信機向け信号」欄は、テーブル内の同一行の「ユーザ操作キー」欄に記録されているキーが操作された場合に、地上アナログ受信機１に対して信号送信部４１が送信するリモコン信号の種別を記録した欄である。例えば図３において「ユーザ操作キー」欄に電源キー４２１が記録されている行において、「地上アナログ受信機向け信号」欄に「電源ＯＮ／ＯＦＦ」という情報が記録されている。このため、電源キー４２１が操作された場合に、地上アナログ受信機１の電源ＯＮ／ＯＦＦを切り替えるためのリモコン信号が信号送信部４１により送信されることが示されている。
【００７９】
「地上デジタル受信機向け信号」欄は、テーブル内の同一行の「ユーザ操作キー」欄に記録されているキーが操作された場合に、地上デジタル受信機３に対して信号送信部４１が送信するリモコン信号の種別を記録した欄である。例えば図４において「ユーザ操作キー」欄にチャンネルキー４２５が記録されている行において、「地上デジタル受信機向け信号」欄に「電源ＯＮ、地上デジタル受信機のチャンネル選局」という情報が記録されている。このため、チャンネルキー４２５が操作された場合に、地上デジタル受信機３の電源をＯＮにするためのリモコン信号、及び地上デジタル受信機３のチャンネル選局を行うリモコン信号が信号送信部４１により送信されることが示されている。
【００８０】
〈１−４．リモコン装置の内部構成について〉
図５は、本発明の第一の実施形態に係る地上デジタル用リモコン装置４の内部構成を示すブロック図である。なお図中の矢印は、装置部から装置部に対する指示の流れを示している。地上デジタル用リモコン装置４は少なくとも、信号送信部４１、操作キー４２、制御部４３、メモリ４４（＝記録部）、及びＲＯＭ（Read Only Memory）４５を含むように構成されている。なお、信号送信部４１及び操作キー４２については図１のものと同内容であるため、ここでは説明を省略する。
【００８１】
制御部４３は、地上デジタル用リモコン装置４の各部材の駆動を制御することによりリモコン信号送処理を統括制御するためのものであり、例えば複数のマイクロプロセッサから構成されている。また制御部４３は、各装置（例えば信号送信部４１等）の制御やデータの計算、加工処理等を行なう中枢部分となっている。
【００８２】
また制御部４３は、制御部４３が備える演算処理装置上でプログラムを実行することにより実現される機能部として、操作検知部４３ａ、信号判定部４３ｂ、キー管理情報変更部４３ｃ、及びキー管理情報選択部４３ｄを備えている。
【００８３】
操作検知部４３ａは、ユーザにより操作キー４２が操作されたことを検知し、操作されたキーが操作キー４２の含むいずれのキーであるかを示す情報を、後述する信号判定部４３ｂ、及びキー管理情報変更部４３ｃに与える。
【００８４】
信号判定部４３ｂは、操作が検知されたキーの種別に基づいて送信するリモコン信号の決定を行う。具体的には信号判定部４３ｂは、操作検知部４３ａより操作が検知されたキーに関する情報を与えられた際に、メモリ４４に記録されているキー管理テーブルを参照する。これにより、操作検知部４３ａが検知した操作キーに対応するリモコン信号を決定する。決定されたリモコン信号の種別は信号送信部４１に与えられ、地上アナログ受信機１及び地上デジタル受信機３に対してリモコン信号が送信される。
【００８５】
キー管理情報変更部４３ｃは、操作検知部４３ａによりキー操作が検知された際に、操作が検知されたキーに基づいてキー管理情報の変更を行う必要があるかどうかを判定する。そして変更が必要である場合は、キー管理情報をメモリ４４、或いはＲＯＭ４５から読み出し、メモリ４４のキー管理テーブルに格納を行う。
【００８６】
具体的には例えば、キー管理テーブルに地上アナログ視聴用のキー管理情報が格納されている状態でデジタルキー４２３が操作されたとする。この場合、キー管理テーブルを参照した結果、キー管理情報を地上デジタル視聴用に変更する必要がある。このためキー管理情報変更部４３ｃは、メモリ４４、或いはＲＯＭ４５より地上デジタル視聴用のキー管理情報を読み出し、キー管理テーブルに格納する。また例えば、キー管理テーブルに地上アナログ視聴用のキー管理情報が格納されている状態でチャンネルキー４２５が操作された場合は、キー管理情報の変更を行う必要がないため、キー管理情報変更部４３ｃは格納処理を行わない。
【００８７】
キー管理情報選択部４３ｄは、メモリ４４、或いはＲＯＭ４５に記録されている複数種類の地上アナログ視聴用のキー管理情報の中から、いずれのキー管理情報を使用するかの指示を受け付け、指示内容をメモリ４４に記録する。なおこれは、地上アナログ受信機１のメーカーによって、リモコン信号の仕様が異なるためである。このため、メモリ４４、或いはＲＯＭ４５には予め、メーカー毎の仕様に対応した複数のキー管理情報が記録されている。
【００８８】
具体的には例えば、キー管理情報選択部４３ｄは、ユーザが設定キー４２７等を用いて地上アナログ受信機１のメーカーを指定する操作を受け付ける。そして受け付けた内容に応じて、複数のキー管理情報の中から地上アナログ視聴用のキー管理情報として使用するキー管理情報を示す情報をメモリ４４に記録する。この情報は、キー管理情報変更部４３ｃがキー管理情報の変更を行う際に参照される。なお、キー管理情報選択部４３ｄによりキー管理情報の決定が行われていない場合、キー管理情報変更部４３ｃはデフォルト値（＝工場出荷時の初期設定値）のキー管理情報を地上アナログ視聴用のキー管理情報として使用することが望ましい。
【００８９】
メモリ４４は、地上デジタル用リモコン装置４が保持する各種データを一時的に記録する媒体であり、例えば書込可能なＲＡＭ（Random Access Memory）等により構成されている。メモリ４４は、制御部４３によって各種情報処理が行われる際の処理データや、ユーザから受けた指示命令等を一時的に記録しておくためのバッファメモリとしての役割を持つ。またメモリ４４には、先述のキー管理テーブル、及びキー管理情報を記録する役割も持つ。
【００９０】
ＲＯＭ４５は、制御部４３を用いた各種処理（例えば送信リモコン信号の判別処理等）を行うためのプログラムデータを記録するための媒体であり、ユーザは情報の読み出しのみが可能となっている。またＲＯＭ４５には、キー管理情報のデフォルト値が記録されている。なんらかの障害によりメモリ４４のキー管理情報が破損或いは消去された場合、ＲＯＭ４５のキー管理情報がメモリ４４に複製記録される。
【００９１】
〈１−５．リモコン信号の送信処理について〉
ここで、本発明の第一の実施形態に係る地上デジタル用リモコン装置４がキー操作を検知した際のリモコン信号送信処理を、図１、図２、及び図５のブロック図と、図３、及び図４のテーブル図と、図６のフロー図を用いながら説明する。
【００９２】
図６は、本発明の第一の実施形態に係るリモコン信号の送信処理の処理フローを示したフローチャートである。本処理は、地上デジタル用リモコン装置４が電源起動状態となるとともに開始される。
【００９３】
本処理の開始後、操作検知部４３ａはステップＳ１１０において、リモコンキー４２が含むいずれかのキーの操作が検知されたかどうかの判定を行う。キー操作を検知していない場合、再びステップＳ１１０に移行し、キー操作の検知を継続して行う。キー操作を検知した場合、操作検知部４３ａは信号判定部４３ｂ及びキー管理情報変更部４３ｃに対して、操作を検知したキーの種別、例えば電源キー４２１やアナログキー４２２等を示す情報を与える。
【００９４】
上記の情報を操作検知部４３ａより与えられた信号判定部４３ｂはステップＳ１２０において、メモリ４４に記録されているキー管理テーブルを参照する。そして信号判定部４３ｂはステップＳ１３０において、キー管理テーブルの内容に基づき、操作が検知されたキーに応じて地上アナログ受信機１へ送信すべきリモコン信号を決定する。
【００９５】
そして決定したリモコン信号を、図１の矢印α２に示すように、信号送信部４１を用いて地上アナログ受信機１の受光部１１へ送信する。なおこのリモコン信号は地上アナログ受信機１の仕様に準じたリモコン信号である。このため、仮に地上デジタル受信機３の受光部３１がこのリモコン信号を受光したとしても、地上デジタル受信機３における受信処理は行われない。
【００９６】
具体的には例えば、操作検知部４３ａにより操作が検知されたキーがチャンネルキー４２５であったとする。そしてキー管理テーブルが図３に示すように、地上アナログ視聴用のキー管理情報が格納された状態であったとする。この場合、「ユーザ操作キー」欄に「チャンネルキー」が含まれる行の「地上アナログ受信機向け信号」欄が参照される。この結果、地上アナログ受信機１のチャンネル選局を行うためのリモコン信号が地上アナログ受信機１に送信される。
【００９７】
また例えば、管理テーブルが図４に示すように、地上デジタル視聴用のキー管理情報が格納されている状態であったとする。この場合、「ユーザ操作キー」欄に「チャンネルキー」が含まれる行の「地上アナログ受信機向け信号」欄が参照される。この結果、地上アナログ受信機１を外部入力状態にするためのモコン信号が地上アナログ受信機１に送信される。このように同一のキーであっても、キー管理テーブルの状態により異なるリモコン信号が地上アナログ受信機１に送信される場合がある。
【００９８】
次に信号判定部４３ｂはステップＳ１４０において、キー管理テーブルの内容に基づき、操作が検知されたキーに対応する地上デジタル受信機３向けのリモコン信号を決定する。そして決定したリモコン信号を、図１の矢印α３に示すように、信号送信部４１を用いて地上デジタル受信機３の受光部３１へ送信する。なおこのリモコン信号は地上デジタル受信機３の仕様に準じたリモコン信号である。このため、仮に地上アナログ受信機１の受光部１１が受光したとしても、地上アナログ受信機１における受信処理は行われない。
【００９９】
具体的には例えば、操作検知部４３ａにより操作が検知されたキーが設定キー４２７であったとする。そしてキー管理テーブルが図３に示すように、地上アナログ視聴用のキー管理情報が格納されている状態であったとする。この場合、「ユーザ操作キー」欄に「設定キー」が含まれる行の「地上デジタル受信機向け信号」欄が参照される。この結果、参照先が空欄であるため、地上デジタル受信機３へのリモコン信号の送信は行われない。
【０１００】
また例えば、管理テーブルが図４に示すように、地上デジタル視聴用のキー管理情報が格納されている状態であったとする。この場合、「ユーザ操作キー」欄に「設定キー」が含まれる行の「地上デジタル受信機向け信号」欄が参照される。この結果、地上デジタル受信機３の設定を行うための上下左右キー、或いは決定キー等のうち、操作が検知されたキーに対応したリモコン信号が地上デジタル受信機３に送信される。このように同一のキーであっても、キー管理テーブルの状態により、リモコン信号が送信される場合と送信されない場合とがある。
【０１０１】
次にキー管理情報変更部４３ｃはステップＳ１５０において、操作検知部４３ａより与えられた情報、つまり操作が検知されたキーの種別に関する情報に基づき、キー管理テーブルに格納するキー管理情報の変更が必要であるかの判定を行う。この判定は、キー管理テーブルの「キー管理情報の変更」欄を参照することにより行なわれる。
【０１０２】
具体的には例えば、操作検知部４３ａにより操作が検知されたキーがデジタルキー４２３であったとする。そしてキー管理テーブルが図３に示すように、地上アナログ視聴用のキー管理情報が格納されている状態であったとする。この場合、「ユーザ操作キー」欄に「デジタルキー」が含まれる行の「キー管理情報の変更」欄が参照される。この結果、地上デジタル視聴用のキー管理情報に変更する必要があると判定される。
【０１０３】
また例えば、操作検知部４３ａにより操作が検知されたキーが音量キー４２４であったとする。この場合、図３の「ユーザ操作キー」欄に「音量キー」が含まれる行の「キー管理情報の変更」欄が参照される。この結果、参照先が空欄であるため、キー管理情報の変更は必要ないと判定される。
【０１０４】
上記のステップＳ１５０においてキー管理情報の変更が必要でないと判定された場合、ステップＳ１１０に移行し、キー操作の検知処理を継続して行う。逆に変更が必要であると判定された場合、キー管理情報変更部４３ｃはステップＳ１６０において、キー管理テーブルに格納するキー管理情報が地上アナログ視聴用のものであるか、或いは地上デジタル視聴用のものであるかを判定する。これはステップＳ１５０において参照されたキー管理テーブルの「キー管理情報の変更」欄の内容をもとに行われる。
【０１０５】
判定の結果、地上アナログ視聴用のキー管理情報に変更する必要がある場合、キー管理情報変更部４３ｃはステップＳ１７０において、メモリ４４或いはＲＯＭ４５より地上アナログ視聴用のキー管理情報を読み出す。逆に判定の結果、地上アナログ視聴用のキー管理情報に変更する必要がある場合、キー管理情報変更部４３ｃはステップＳ１７１において、メモリ４４或いはＲＯＭ４５より地上デジタル視聴用のキー管理情報を読み出す。なお、メモリ４４に地上アナログ視聴用及び地上デジタル視聴用のキー管理情報が記録されていない場合、ＲＯＭ４５よりそれぞれのキー管理情報のデフォルト値を読み出すことが望ましい。
【０１０６】
次にキー管理情報変更部４３ｃはステップＳ１８０において、読み出したキー管理情報をキー管理テーブルに格納する。その後、ステップＳ１１０に移行し、キー操作の検知処理を継続して行う。以上に説明した本処理は通常、地上デジタル用リモコン装置４の電源停止時やバッテリ切れの発生時等に終了される。ただし、処理中断指示を受け付ける指示受付部（不図示）を設けることにより、任意のタイミングで本処理を中断可能とする形態であってもよい。
【０１０７】
次に、本発明の第二の実施形態ついて、図面を参照しつつ説明する。
【０１０８】
［実施の形態２］
〈２−１．テレビ受信システムの構成について〉
ここで、本発明の第二の実施形態に係るテレビ受信システムについて、図７のブロック図を用いながら説明する。なお、実施の形態１における図１と同内容の装置については、同一の符号を付加することにより説明を省略するものとする。
【０１０９】
図７に示すように本発明の第二の実施形態に係るテレビ受信システムは、図１の装置に加え、外部接続装置９としてＤＶＤ（Digital Versatile Disc）プレーヤ９１及びＨＤＤ（Hard Disk Drive）レコーダ９２を含むように構成されて。また、地上デジタル用リモコン装置４に代わる装置として地上デジタル用リモコン装置５が含まれるように構成されている。
【０１１０】
地上デジタル用リモコン装置５は、地上デジタル受信機３に付属のリモコン装置である。地上デジタル用リモコン装置５は信号送信部５１、及びユーザからの操作を受け付けるリモコンキー５２を備えている。信号送信部５１は実施の形態１の信号送信部４１と同一のものである。また図７には図示していないが、リモコンキー５２は電源キー５２１、アナログキー５２２、デジタルキー５２３、音量キー５２４、チャンネルキー５２５、外部入力キー５２６、及び設定キー５２７を備えている。
【０１１１】
上記キーの外観は実施の形態１の図２に示す電源キー４２１〜設定キー４２７と同一である。ただし後述するように、地上デジタル用リモコン装置５が備えるキー管理情報は地上デジタル用リモコン装置４のものと異なる。従って各キーが操作された際に送信されるリモコン信号（＝図中の矢印β１及び矢印β２）の種別が一部異なる。
【０１１２】
外部接続装置９は、地上アナログ受信機１の外部接続端子に接続可能な記録装置、再生装置、及び記録再生装置である。外部接続装置９はケーブル、或いは無線により地上アナログ受信機１に接続される。これにより例えば、外部接続装置９により再生した画像をモニタ１３に表示する、或いはアンテナ接続部１２により入力された地上アナログ放送を外部接続装置９で記録する等の処理を行うことが可能である。
【０１１３】
なお本実施例では外部接続装置９として、地上アナログ受信機１の第二外部接続端子に接続されたＤＶＤプレーヤ９１、及び第三外部接続端子に接続されたＨＤＤレコーダ９２を例にあげている。ただし外部接続装置９は、地上アナログ受信機１に接続可能な装置であればいかなる種別のものでもよい。例えばＶＴＲ（Video Tape Recorder）やビデオカメラ等を用いる形態であってもよい。なお、地上アナログ受信機１の第一外部接続端子には地上デジタル受信機３が接続されている。
【０１１４】
ＤＶＤプレーヤ９１は、ＤＶＤメディアに記録された音声情報及び画像情報の再生を行う再生装置である。またＨＤＤレコーダ９２は、内蔵するＨＤＤを用いて音声情報及び画像情報の記録及び再生を行う記録再生装置である。接続用ケーブル９３は地上アナログ受信機１と外部接続装置９とを接続して音声情報及び画像情報の伝達を行うものであり、例えばＳ端子ケーブルやＲＣＡケーブル等が用いられる。
【０１１５】
〈２−２．リモコン装置の外部構成について〉
実施の形態１と同内容であるため、ここでは説明を省略する。
【０１１６】
〈２−３．キー管理テーブルの構成について〉
ここで、本発明の第二の実施形態に係る地上デジタル用リモコン装置５が備えるキー管理テーブルの一例を、図８、及び図９のテーブル図を用いて説明する。図８は、キー管理テーブルに地上アナログ視聴用のキー管理情報が格納されている場合のキー管理テーブルを示したテーブル図である。また図９は、キー管理テーブルに地上デジタル視聴用のキー管理情報が格納されている場合のキー管理テーブルを示したテーブル図である。
【０１１７】
図８、及び図９に示すように本実施形態のキー管理テーブルは、実施の形態１と同様に、「ユーザ操作キー」、「キー管理情報の変更」、「地上アナログ受信機向け信号」、「地上デジタル受信機向け信号」の四つの欄から構成されている。
【０１１８】
図８に示すキー管理テーブルが実施の形態１の図３と異なる点として、「ユーザ操作キー」欄に「デジタルキー」が含まれる行のデータ、及び「ユーザ操作キー」欄に「外部入力キー」が含まれる行のデータの内容が異なっている。これは、実施の形態１においては地上アナログ受信機１に接続されている装置が地上デジタル受信機３のみであるのに対し、本実施形態においては図７に示すように、地上アナログ受信機１の第一外部接続端子に地上デジタル受信機３、第二外部接続端子にＤＶＤプレーヤ９１、第三外部接続端子にＨＤＤレコーダ９２が接続されているためである。
【０１１９】
本実施形態においては、デジタルキー５２３の操作が検知された場合、地上アナログ受信機１を、第一外部接続端子（＝地上デジタル受信機３接続用端子）より入力した情報を出力するための第一外部入力状態に切り替える必要がある。従って、図８のキー管理テーブルにおいて、「ユーザ操作キー」欄に「デジタルキー」が含まれる行の「地上アナログ受信機向け信号」欄には、「第一外部入力状態に切り替え」というデータが含まれている。このデータは、地上アナログ受信機１を第一外部入力状態に切り替えるためのリモコン信号を送信することを指示するデータである。なお上記内容は、図９のキー管理テーブルについても同様である。
【０１２０】
また本実施形態においては、外部入力キー５２６の操作が検知された場合、地上アナログ受信機１を、第二外部接続端子より入力した情報を出力するための第二外部入力状態に切り替える必要がある。さらにこの状態で外部入力キー５２６の操作が検知された場合、第三外部接続端子より入力した情報を出力するための第三外部入力状態に切り替える必要がある。さらにこの状態で外部入力キー５２６の操作が検知された場合、地上アナログ表示状態に切り替える必要がある。
【０１２１】
従って、図８のキー管理テーブルにおいて、「ユーザ操作キー」欄に「外部入力キー」が含まれる行の「地上アナログ受信機向け信号」欄には、「第二外部入力、第三外部入力、地上アナログ放送表示の順に切り替え」というデータが含まれている。このデータは、地上アナログ受信機１を第二外部入力状態、第三外部入力状態、地上アナログ表示状態、第二外部入力状態の順に切り替えるためのリモコン信号を送信することを指示するデータである。なお上記内容は、図９のキー管理テーブルについても同様である。
【０１２２】
また本実施形態においては、外部入力キー５２６の操作が検知された際に、上記のように第二外部入力状態及び第三外部入力状態への移行を行うが、第一外部入力状態への移行は行わない。これは本実施形態の外部入力キー５２６が、地上デジタル受信機３を除く外部接続装置９から入力された情報を表示するための切り替えキーであるためである。
【０１２３】
従って、図８のキー管理テーブルにおいて、「ユーザ操作キー」欄に「外部入力キー」が含まれる行の「地上デジタル受信機向け信号」欄には、「電源ＯＦＦ」というデータが含まれている。このデータは、地上デジタル受信機３の電源をＯＦＦするためのリモコン信号を送信することを指示するデータである。なお上記内容は、図９のキー管理テーブルについても同様である。
【０１２４】
また、図８のキー管理テーブルにおいて、「ユーザ操作キー」欄に「外部入力キー」が含まれる行の「キー管理情報の変更」欄には、データが含まれていない。これは外部入力キー５２６が操作されても、キー管理テーブルに地上デジタル視聴用のキー管理情報を格納する必要が無いためである。また図９のキー管理テーブルにおいて、「ユーザ操作キー」欄に「外部入力キー」が含まれる行の「キー管理情報の変更」欄には、「キー管理情報を地上アナログ視聴用に変更」というデータが含まれている。
【０１２５】
これは、地上デジタル放送の表示中に外部入力キー５２６が操作された場合、外部接続装置９より入力した情報の表示、或いはアンテナ接続部１２により入力した地上アナログ放送の表示に切り替わるためである。このため、キー管理テーブルに地上アナログ視聴用のキー管理情報を格納する必要があるので、上記「キー管理情報を地上アナログ視聴用に変更」というデータが含まれている。
【０１２６】
〈２−４．リモコン装置の内部構成について〉
実施の形態１と同内容であるため、ここでは説明を省略する。
【０１２７】
〈２−５．リモコン信号の送信処理について〉
実施の形態１と同内容であるため、ここでは説明を省略する。
【０１２８】
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【０１２９】
従って本発明は、以下の形態にも適用可能である。
（Ａ）本実施形態では、地上デジタル用リモコン装置４が保持するキー管理情報及びキー管理テーブルをメモリ４４に記録する形態を例として説明したが、これ以外の記録媒体、例えばマイクロＨＤＤ、ＥＥＰＲＯＭ、フラッシュメモリ等にキー管理情報及びキー管理テーブルが記録されている形態であってよもよい。また、キー管理情報をＲＯＭ４５にのみ記録することにより、誤ってキー管理情報の内容が変更されたり、データが破損したりするのを防止する形態であってもよい。
【０１３０】
（Ｂ）本実施形態では、受信放送を切り替えるためのリモコン信号送信処理に関わる各種機能部が、マイクロプロセッサ等の演算処理装置上でプログラムを実行することにより実現されているが、各種機能部が複数の回路により実現される形態でもよい。
【０１３１】
（Ｃ）本実施形態では、第一放送方式として地上アナログ放送、第二放送方式として地上デジタル放送を例として説明したが、これ以外の放送方式を用いて本発明のテレビ受信システムを実施したとしても、同様の効果が得ることができる。用いる放送方式としては例えば、衛星デジタル放送、衛星アナログ放送、ケーブルテレビ放送、インターネット放送、地上データ放送、衛星データ放送等が挙げられる。
【０１３２】
（Ｄ）本実施形態では、地上アナログ視聴用及び地上デジタル視聴用の二つキー管理情報を用いて説明しているが、これらのキー管理情報の内容は本実施形態の内容に限定されるものではない。また、リモコンキー４２が備えるキーの種類も適宜変更可能である。例えば設定キー４２７に含まれるキーとして、ＥＰＧ用キーやデータ放送用キーのように地上アナログ放送受信時には使用せず、地上デジタル放送受信時にのみ使用するようなキーを含む形態であっても構わない。
【図面の簡単な説明】
【０１３３】
【図１】は、本発明の第一の実施形態に係るテレビ受信システムの構成を示すブロック図である。
【図２】は、本発明のリモコン装置の外部構成を示すブロック図である。
【図３】は、本発明の第一の実施形態に係る地上アナログ視聴用のキー管理情報が格納されたキー管理テーブルを示すテーブル図である。
【図４】は、本発明の第一の実施形態に係る地上デジタル視聴用のキー管理情報が格納されたキー管理テーブルを示すテーブル図である。
【図５】は、本発明のリモコン装置の内部構成を示すブロック図である。
【図６】は、本発明のリモコン信号送信処理の処理フローを示したフロー図である。
【図７】は、本発明の第二の実施形態に係るテレビ受信システムの構成を示すブロック図である。
【図８】は、本発明の第二の実施形態に係る地上アナログ視聴用のキー管理情報が格納されたキー管理テーブルを示すテーブル図である。
【図９】は、本発明の第二の実施形態に係る地上デジタル視聴用のキー管理情報が格納されたキー管理テーブルを示すテーブル図である。
【符号の説明】
【０１３４】
１      地上アナログ受信機（第一テレビ受信機）
３      地上デジタル受信機（第二テレビ受信機）
４      地上デジタル用リモコン装置（リモコン装置）
４１    信号送信部（信号送信手段）
４２    操作キー
４２２  アナログキー（第一選択キー）
４２３  デジタルキー（第二選択キー）
４２４  音量キー
４２５  チャンネルキー
４２６  外部入力キー
４３    制御部
４４    メモリ（記録部）
【図１】
2008236285.tif 000003
【図２】
2008236285.tif 000004
【図３】
2008236285.tif 000005
【図４】
2008236285.tif 000006
【図５】
2008236285.tif 000007
【図６】
2008236285.tif 000008
【図７】
2008236285.tif 000009
【図８】
2008236285.tif 000010
【図９】
2008236285.tif 000011